【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
所定の入賞にもとづいて景品としての景品遊技媒体を払い出すことが可能な遊技機であって、
遊技の進行を制御する遊技制御手段と、
遊技媒体の払い出しを行う払出手段と、
前記遊技制御手段からの信号にもとづいて前記払出手段の制御を行う払出制御手段と、
前記払出手段により払い出された景品遊技媒体を検出する景品遊技媒体検出手段とを備え、
前記遊技制御手段は、前記所定の入賞にもとづいて遊技者に払い出される景品遊技媒体の払出数を特定可能な景品数指令信号を前記払出制御手段に送信する景品数指令信号送信手段を含み、
前記払出制御手段は、景品数指令信号にもとづく遊技媒体の払出が終了すると、払出の終了を示す払出終了信号を前記遊技制御手段に送信する払出終了信号送信手段を含み、
前記景品遊技媒体検出手段からの検出信号は、前記遊技制御手段に入力され、
前記遊技制御手段は、
前記払出終了信号を受信したか否か確認する払出終了信号受信確認手段と、
前記景品遊技媒体検出手段からの検出信号の入力状態を監視して前記景品数指令信号によって指定した払出数の景品遊技媒体が払い出されたか否かを判定する払出判定手段とを含み、
前記遊技制御手段は、前記払出終了信号受信確認手段によって前記払出終了信号の受信が確認され、かつ、前記払出判定手段によって前記景品数指令信号により指定した払出数の景品遊技媒体が払い出されたと判定されたときに、前記払出制御手段における景品遊技媒体の払い出し制御が完了したと判定する
ことを特徴とする遊技機。
【請求項２】
遊技制御手段は、払出判定手段の判定結果と払出終了信号受信確認手段の確認結果とにもとづいて払い出された遊技媒体数が不足しているか否かを判定する景品不足数判定手段と、払い出された遊技媒体数が不足していると前記景品不足数判定手段が判定したときに、不足分の遊技媒体数を特定可能な景品不足数指令信号を払出制御手段に送信する景品不足数指令信号送信手段とを含む
請求項１記載の遊技機。
【請求項３】
払出制御手段は、景品数指令信号にもとづいて払い出されるべき景品遊技媒体数のうち未だ払い出されていない未払出遊技媒体数を特定可能な未払出数データを記憶し、前記未払出数データにより払い出しが終了したか否かを判定する
請求項１または請求項２記載の遊技機。
【請求項４】
遊技制御手段は、
払出制御手段の異常を検出する払出異常検出手段と、
該払出異常検出手段によって払出制御手段の異常が検出されたときに、所定の異常時処理を実行する異常時処理実行手段とを含み、
前記払出異常検出手段は、景品数指令信号を送信してから所定期間内に払出終了信号受信確認手段によって払出終了信号の受信が確認されなかったときに前記払出制御手段の異常が発生したと判定する
請求項１から請求項３のうちいずれか１項に記載の遊技機。
【手続補正２】
【補正対象書類名】明細書
【補正対象項目名】０００７
【補正方法】変更
【補正の内容】
【０００７】
【課題を解決するための手段】
本発明による遊技機は、所定の入賞にもとづいて景品としての景品遊技媒体を払い出すことが可能な遊技機であって、遊技の進行を制御する遊技制御手段（例えばＣＰＵ５６等）と、遊技媒体の払い出しを行う払出手段（例えば球払出装置９７）と、遊技制御手段からの信号にもとづいて払出手段の制御を行う払出制御手段（例えば払出制御用ＣＰＵ３７１等）と、払出手段により払い出された景品遊技媒体を検出する景品遊技媒体検出手段（例えば賞球カウントスイッチ３０１Ａ）とを備え、遊技制御手段は、所定の入賞にもとづいて遊技者に払い出される景品遊技媒体の払出数を特定可能な景品数指令信号（例えば賞球個数指定の払出制御コマンド）を払出制御手段に送信する景品数指令信号送信手段（例えば遊技制御手段のうちステップＳ１９４，Ｓ１９５を実行する部分）を含み、払出制御手段は、景品数指令信号にもとづく遊技媒体の払出が終了すると、払出の終了を示す払出終了信号（例えば賞球終了指定の払出情報コマンド）を遊技制御手段に送信する払出終了信号送信手段（例えば払出制御手段のうちステップＳ５６０，Ｓ５６１を実行する部分）を含み、景品遊技媒体検出手段からの検出信号は、遊技制御手段に入力され、遊技制御手段は、払出終了信号を受信したか否か確認する払出終了信号受信確認手段と、景品遊技媒体検出手段からの検出信号の入力状態を監視して景品数指令信号によって指定した払出数の景品遊技媒体が払い出されたか否かを判定する払出判定手段とを含み、遊技制御手段は、払出終了信号受信確認手段によって払出終了信号の受信が確認され、かつ、払出判定手段によって景品数指令信号により指定した払出数の景品遊技媒体が払い出されたと判定されたときに、払出制御手段における景品遊技媒体の払い出し制御が完了したと判定することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
遊技制御手段が、払出判定手段の判定結果と払出終了信号受信確認手段の確認結果とにもとづいて払い出された遊技媒体数が不足しているか否かを判定する景品不足数判定手段（例えば遊技制御手段のうちステップＳ３９０，Ｓ３９５を実行する部分）と、払い出された遊技媒体数が不足していると景品不足数判定手段が判定したときに、不足分の遊技媒体数を特定可能な景品不足数指令信号（例えば賞球個数指定の払出制御コマンド）を払出制御手段に送信する景品不足数指令信号送信手段（例えば遊技制御手段のうちステップＳ３９６，Ｓ１９４，Ｓ１９５を実行する部分）とを含むように構成されていてもよい。
【手続補正９】
【補正対象書類名】明細書
【補正対象項目名】００１４
【補正方法】変更
【補正の内容】
【００１４】
払出制御手段は、景品数指令信号にもとづいて払い出されるべき景品遊技媒体数のうち未だ払い出されていない未払出遊技媒体数を特定可能な未払出数データを記憶し、未払出数データにより払い出しが終了したか否かを判定するように構成されていてもよい。
【手続補正１０】
【補正対象書類名】明細書
【補正対象項目名】００１５
【補正方法】変更
【補正の内容】
【００１５】
遊技制御手段は、払出制御手段の異常を検出する払出異常検出手段と、該払出異常検出手段によって払出制御手段の異常が検出されたときに、所定の異常時処理を実行する異常時処理実行手段とを含み、払出異常検出手段は、景品数指令信号を送信してから所定期間内に払出終了信号受信確認手段によって払出終了信号の受信が確認されなかったときに払出制御手段の異常が発生したと判定するように構成されていてもよい。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】０３２３
【補正方法】変更
【補正の内容】
【０３２３】
【発明の効果】
以上のように、請求項１記載の発明では、遊技機を、遊技制御手段は、所定の入賞にもとづいて遊技者に払い出される景品遊技媒体の払出数を特定可能な景品数指令信号を払出制御手段に送信する景品数指令信号送信手段を含み、払出制御手段は、景品数指令信号にもとづく遊技媒体の払出が終了すると、払出の終了を示す払出終了信号を遊技制御手段に送信する払出終了信号送信手段を含み、景品遊技媒体検出手段からの検出信号は、遊技制御手段に入力され、遊技制御手段は、払出終了信号を受信したか否か確認する払出終了信号受信確認手段と、景品遊技媒体検出手段からの検出信号の入力状態を監視して景品数指令信号によって指定した払出数の景品遊技媒体が払い出されたか否かを判定する払出判定手段とを含み、遊技制御手段は、払出終了信号受信確認手段によって払出終了信号の受信が確認され、かつ、払出判定手段によって景品数指令信号により指定した払出数の景品遊技媒体が払い出されたと判定されたときに、払出制御手段における景品遊技媒体の払い出し制御が完了したと判定するように構成したので、遊技制御手段が、払出制御手段による景品としての遊技媒体払出処理の終了を把握することができる。
【手続補正１５】
【補正対象書類名】明細書
【補正対象項目名】０３２４
【補正方法】削除
【補正の内容】
【手続補正１６】
【補正対象書類名】明細書
【補正対象項目名】０３２５
【補正方法】削除
【補正の内容】
【手続補正１７】
【補正対象書類名】明細書
【補正対象項目名】０３２６
【補正方法】削除
【補正の内容】
【手続補正１８】
【補正対象書類名】明細書
【補正対象項目名】０３２７
【補正方法】削除
【補正の内容】
【手続補正１９】
【補正対象書類名】明細書
【補正対象項目名】０３２８
【補正方法】削除
【補正の内容】
【手続補正２０】
【補正対象書類名】明細書
【補正対象項目名】０３２９
【補正方法】変更
【補正の内容】
【０３２９】
請求項２記載の発明では、遊技制御手段が、払出判定手段の判定結果と払出終了信号受信確認手段の確認結果とにもとづいて払い出された遊技媒体数が不足しているか否かを判定する景品不足数判定手段と、払い出された遊技媒体数が不足していると景品不足数判定手段が判定したときに、不足分の遊技媒体数を特定可能な景品不足数指令信号を払出制御手段に送信する景品不足数指令信号送信手段とを含むように構成されているので、遊技者に不利益が与えられるのを防止することができる。
【手続補正２１】
【補正対象書類名】明細書
【補正対象項目名】０３３０
【補正方法】変更
【補正の内容】
【０３３０】
請求項４記載の発明では、遊技制御手段が、払出制御手段の異常を検出する払出異常検出手段と、払出異常検出手段によって払出制御手段の異常が検出されたときに、所定の異常時処理を実行する異常時処理実行手段とを含み、払出異常検出手段が、景品数指令信号を送信してから所定期間内に払出終了信号受信確認手段によって払出終了信号の受信が確認されなかったときに払出制御手段の異常が発生したと判定するように構成されているので、遊技制御手段が、払出制御手段の異常が発生したことを認識できるようになる。
【手続補正２２】
【補正対象書類名】明細書
【補正対象項目名】０３３１
【補正方法】削除
【補正の内容】
【手続補正２３】
【補正対象書類名】明細書
【補正対象項目名】０３３２
【補正方法】削除
【補正の内容】
【手続補正２４】
【補正対象書類名】明細書
【補正対象項目名】０３３３
【補正方法】削除
【補正の内容】
【手続補正２５】
【補正対象書類名】明細書
【補正対象項目名】０３３４
【補正方法】削除
【補正の内容】